(57)【要約】【課題】残像現象を効果的に防ぐことができる映像処理装置、映像表示システムおよび映像処理方法を提供する。【解決手段】実施形態に係る映像処理装置は、フレーム反転方式により液晶駆動される液晶表示部への表示映像信号を生成する映像処理装置であって、制御部と、映像信号処理部とを備える。制御部は、外部から入力されるインターレース映像信号に含まれる垂直同期信号を、インターレース映像信号に対し所定の周期で所定数のフィールド分の表示無効区間が設定されるように制御する。映像信号処理部は、垂直同期信号の制御によって表示無効区間が設定されたインターレース映像信号に基づいて表示映像信号を生成し、表示映像信号を液晶表示部へ出力する。【選択図】図２Ａ
2018101022.tif 000002
【特許請求の範囲】
【請求項１】
フレーム反転方式により液晶駆動される液晶表示部への表示映像信号を生成する映像処理装置であって、
外部から入力されるインターレース映像信号に含まれる垂直同期信号を、前記インターレース映像信号に対し所定の周期で所定数のフィールド分の表示無効区間が設定されるように制御する制御部と、
前記垂直同期信号の制御によって前記表示無効区間が設定された前記インターレース映像信号に基づいて前記表示映像信号を生成し、該表示映像信号を前記液晶表示部へ出力する映像信号処理部と
を備えることを特徴とする映像処理装置。
【請求項２】
前記液晶表示部の温度を検知する温度検知部
をさらに備え、
前記制御部は、
前記温度検知部の検知結果に基づいて前記周期を調整すること
を特徴とする請求項１に記載の映像処理装置。
【請求項３】
前記制御部は、
前記温度が高温であるほど前記周期が短くなるように該周期を調整すること
を特徴とする請求項２に記載の映像処理装置。
【請求項４】
前記制御部は、
外部からノンインターレース映像信号が入力された場合、前記ノンインターレース映像信号に対し前記表示無効区間が設定されないように前記垂直同期信号を制御すること
を特徴とする請求項１〜３のいずれか一つに記載の映像処理装置。
【請求項５】
外部から入力される映像信号の種類に応じて設定された表示モードを検出する表示モード検出部
をさらに備え、
前記制御部は、
前記検出された表示モードに基づき、前記表示無効区間が設定されるように前記垂直同期信号を制御するか否かを判定する判定処理を実行すること
を特徴とする請求項１〜３のいずれか一つに記載の映像処理装置。
【請求項６】
前記制御部は、
前記判定処理の判定結果に応じて前記周期を変更すること
を特徴とする請求項５に記載の映像処理装置。
【請求項７】
前記映像信号は、車載装置から入力される映像信号であること
を特徴とする請求項５または６に記載の映像処理装置。
【請求項８】
前記所定数のフィールド分は、１フィールド分であること
を特徴とする請求項１〜７のいずれか一つに記載の映像処理装置。
【請求項９】
フレーム反転方式により液晶駆動される液晶表示部と、
前記液晶表示部への表示映像信号を生成する映像処理装置と
を備え、
前記映像処理装置は、
外部から入力されるインターレース映像信号に含まれる垂直同期信号を、前記インターレース映像信号に対し所定の周期で所定数のフィールド分の表示無効区間が設定されるように制御する制御部と、
前記垂直同期信号の制御によって前記表示無効区間が設定された前記インターレース映像信号に基づいて前記表示映像信号を生成し、該表示映像信号を前記液晶表示部へ出力する映像信号処理部と
を備えることを特徴とする映像表示システム。
【請求項１０】
フレーム反転方式により液晶駆動される液晶表示部への表示映像信号を生成する映像処理方法であって、
外部から入力されるインターレース映像信号に含まれる垂直同期信号を、前記インターレース映像信号に対し所定の周期で所定数のフィールド分の表示無効区間が設定されるように制御する制御工程と、
前記垂直同期信号の制御によって前記表示無効区間が設定された前記インターレース映像信号に基づいて前記表示映像信号を生成し、該表示映像信号を前記液晶表示部へ出力する映像信号処理工程と
を含むことを特徴とする映像処理方法。
【発明の詳細な説明】
【技術分野】
【０００１】
開示の実施形態は、映像処理装置、映像表示システムおよび映像処理方法に関する。
【背景技術】
【０００２】
従来、ＩＰＳ（In  Plane  Switching）方式が採用された液晶ディスプレイ（以下、「ＩＰＳ液晶」と言う）が知られている。かかるＩＰＳ液晶は、視野角特性に優れることから、ワイド画面や大画面、携帯端末画面、車載機器用画面など、様々な場面での表示デバイスとして用いられている（たとえば、特許文献１参照）。
【先行技術文献】
【特許文献】
【０００３】
【特許文献１】特開２００９−０３７２０９号公報
【発明の概要】
【発明が解決しようとする課題】
【０００４】
しかしながら、上述した従来技術には、残像現象を効果的に防ぐという点で、さらなる改善の余地がある。
【０００５】
具体的には、ＩＰＳ液晶は残像特性が弱く、とりわけインターレース映像表示時に特定画像で残像が発生しやすいという問題点がある。たとえば、残像現象は、特定画像の映像信号により液晶層中の不純物が電荷溜まりを起こすことによって生じるが、かかる電荷溜まりは、ノンインターレース映像の場合、一般的なアクティブ・マトリクス駆動方式の液晶表示において実施されるフレームごとのＴＦＴ（Thin  Film  Transistor）電極の極性反転により解消しうる。
【０００６】
ところが、インターレース映像の場合、１フレームは奇数フィールドおよび偶数フィールドの２フィールドで構成されるため、特定画像の映像信号はかかるフィールド間では異なるものとなり、前述の極性反転によっては電荷溜まりを解消することができない。特にフィールド方向に境界が延びる白色ベタ画像と黒色ベタ画像の場合は、その境界で奇数フィールドと偶数フィールドで正反対の極性となるライン（たとえば、奇数フィールドで黒色、偶数フィールドで白色）が発生する場合があり、この場合は極性反転により電荷が溜まりやすくなるといったことが起こる。
【０００７】
実施形態の一態様は、上記に鑑みてなされたものであって、残像現象を効果的に防ぐことができる映像処理装置、映像表示システムおよび映像処理方法を提供することを目的とする。
【課題を解決するための手段】
【０００８】
実施形態の一態様に係る映像処理装置は、フレーム反転方式により液晶駆動される液晶表示部への表示映像信号を生成する映像処理装置であって、制御部と、映像信号処理部とを備える。制御部は、外部から入力されるインターレース映像信号に含まれる垂直同期信号を、前記インターレース映像信号に対し所定の周期で所定数のフィールド分の表示無効区間が設定されるように制御する。映像信号処理部は、前記垂直同期信号の制御によって前記表示無効区間が設定された前記インターレース映像信号に基づいて前記表示映像信号を生成し、該表示映像信号を前記液晶表示部へ出力する。
【発明の効果】
【０００９】
実施形態の一態様によれば、残像現象を効果的に防ぐことができる。
【図面の簡単な説明】
【００１０】
【図１Ａ】図１Ａは、実施形態に係る映像処理方法の概要説明図（その１）である。
【図１Ｂ】図１Ｂは、実施形態に係る映像処理方法の概要説明図（その２）である。
【図１Ｃ】図１Ｃは、実施形態に係る映像処理方法の概要説明図（その３）である。
【図１Ｄ】図１Ｄは、実施形態に係る映像処理方法の概要説明図（その４）である。
【図１Ｅ】図１Ｅは、実施形態に係る映像処理方法の概要説明図（その５）である。
【図１Ｆ】図１Ｆは、実施形態に係る映像処理方法の概要説明図（その６）である。
【図２Ａ】図２Ａは、第１の実施形態に係る映像表示システムのブロック図である。
【図２Ｂ】図２Ｂは、第１の実施形態に係る映像信号処理部のブロック図である。
【図３】図３は、ＩＰ変換処理の処理説明図である。
【図４】図４は、映像スキップ処理の処理説明図である。
【図５】図５は、第１の実施形態に係る映像処理装置の制御部が実行する処理手順を示すフローチャートである。
【図６】図６は、第２の実施形態に係る映像表示システムのブロック図である。
【図７】図７は、第３の実施形態に係る映像表示システムのブロック図である。
【図８】図８は、表示モード情報の一例を示す図である。
【図９】図９は、第３の実施形態に係る映像処理装置の制御部が実行する処理手順を示すフローチャートである。
【発明を実施するための形態】
【００１１】
以下、添付図面を参照して、本願の開示する映像処理装置、映像表示システムおよび映像処理方法の実施形態を詳細に説明する。なお、以下に示す実施形態によりこの発明が限定されるものではない。
【００１２】
以下では、液晶モジュールである「液晶表示部」が、ＩＰＳ液晶であり、かつ、車載機器用として用いられる場合を例に挙げて説明を行う。また、以下では、本実施形態に係る映像処理方法の概要について図１Ａ〜図１Ｆを用いて説明した後に、本実施形態に係る映像処理方法を適用した映像表示システムの映像処理装置について、図２Ａ〜図９を用いて説明する。
【００１３】
図１Ａ〜図１Ｆは、本実施形態に係る映像処理方法の概要説明図（その１）〜（その６）である。
【００１４】
図１Ａに示すように、本実施形態に係る映像表示システム１は、たとえば車両Ｃに搭載して用いることができる。映像表示システム１は、映像処理装置１０と、液晶表示部２０とを備える。液晶表示部２０は、たとえば第１表示部２０ａと、第２表示部２０ｂとを含む。
【００１５】
第１表示部２０ａは、フロントシート前方などに設けられるたとえばディスプレイオーディオ用である。また、第２表示部２０ｂは、フロントシート背面などに設けられるたとえばリアシートエンターテインメントシステム用である。
【００１６】
第１表示部２０ａは、たとえば図示略の車載カメラからの車載カメラ映像や、目的地までの経路を案内するナビゲーション映像などを表示することができる。第２表示部２０ｂは、たとえばＤＶＤ（Digital  Versatile  Disc）プレーヤの映像やＤＴＶ（Digital  Television）放送の映像などを表示することができる。
【００１７】
なお、上記では、第１表示部２０ａおよび第２表示部２０ｂに表示される映像の種類を具体的に示したが、これらはあくまでも例示であって限定されるものではない。また、上記では、液晶表示部２０は、第１、第２表示部２０ａ，２０ｂを含むように構成されるが、これに限られず、たとえば第１表示部２０ａおよび第２表示部２０ｂのいずれか一方、または３つ以上の表示部を含んでいてもよい。
【００１８】
映像処理装置１０は、車載カメラ等の各種映像ソースから映像信号を入力し、かかる映像信号から液晶表示部２０へ表示可能となる映像処理を施して液晶表示部２０へ出力する。
【００１９】
ところで、一般的なアクティブ・マトリクス駆動方式の液晶表示では、直流駆動すると寿命が短くなるため、交流電圧を印加することでサブ画素となる各電極の極性を１枚の画像（フレーム）ごとに反転させるフレーム反転方式による液晶駆動が行われている。
【００２０】
たとえば図１Ｂには、フレーム反転方式のうちのドット反転駆動方式を例に挙げている。ドット反転駆動方式では、図１Ｂに示すように、たとえば１／６０秒間隔（すなわち、６０Ｈｚ）で１番目、２番目、３番目…の各フレームごとに１つおきのサブ画素を互い違いに正極と負極を反転させる。
【００２１】
これにより、たとえば図１Ｃに示すように、ノンインターレース映像の場合、あるサブ画素に対しフレーム間で同じ映像信号（たとえば白１〜１２）が入力されても、フレームごとに反転する極性の影響でイオン性不純物を液晶層中に偏ることなく存在させることができる。すなわち、フレーム反転方式には、液晶層中のイオン性不純物の電荷溜まりを解消し、残像現象を防止する作用がある。
【００２２】
また、図１Ｃに示すように、フレーム間は垂直同期信号（ＶＳＹＮＣ（Vertical  Synchronizing  signal））による垂直同期期間によって区切られている。なお、垂直同期信号は、１フレームの入力タイミングを示す信号であり、所定周期（ここでは１／６０秒）で“Ｌ（Low）”となる信号である。
【００２３】
映像処理装置１０は、たとえば、垂直同期信号が“Ｌ”となる出力タイミングを基準として（トリガとして）、映像ソースから映像信号を取得し、取得した映像信号に基づいた表示映像を液晶表示部２０に表示させる。また、垂直同期信号の出力タイミングの前後の期間が垂直同期期間として設定される。映像処理装置１０にあっては、かかる垂直同期期間は通常、映像信号を取得せず、表示映像に対し垂直同期期間に対応する表示無効区間が設定され、これによりフレーム間が区切られている。
【００２４】
なお、上記した垂直同期期間は、たとえば、１フレームの１行分の入力タイミングを示す水平同期信号（ＨＳＹＮＣ（Horizontal  Synchronizing  signal）。図示せず）のパルス数をカウントし、かかるカウント数に基づいて設定することができる。
【００２５】
ここで、インターレース映像の場合を考えてみる。１フレームは５２５行分であるものとする。図１Ｄに示すように、インターレース映像の場合、１フレームは、奇数行番目の走査線のみからなる奇数フィールドと、偶数行番目の走査線のみからなる偶数フィールドの２フィールドで構成される。かかる２フィールドは交互に表示されることとなるため、フレーム単位で見れば同じ特定画像の映像信号であっても、フィールド間では異なるものとなりやすい。
【００２６】
説明を分かりやすくするために、フィールドごとに白、黒が入れ替わる場合を例に挙げる。図１Ｅに示すように、従来の方式でかかるインターレース映像を表示した場合、フィールドごとに入れ替わる白、黒の電位の振れ幅が小さいため、イオン性不純物が同じ方向に偏在しやすくなり、「電荷溜まりによる残像発生」を起こしやすい。ＩＰＳ液晶の場合、コモン電極とサブ画素の各電極との位置関係から、イオン性不純物が移動しにくいこともあり、特にこの傾向が強い。
【００２７】
なお、ここで、電極の極性を直接制御することにより、電荷溜まりを解消することが考えられるが、現状、液晶表示部２０は、液晶パネルおよび液晶駆動ドライバＩＣが一体となった液晶モジュールが主流であるため、実現性が低いと考えられる。
【００２８】
そこで、図１Ｆに示すように、本実施形態では、映像処理装置１０が、インターレース映像の場合に「所定の周期で１フィールド分の映像をスキップ」することによって、電極の極性を反転させることとした（図中の破線の閉曲線Ｍ１に囲まれた部分参照）。
【００２９】
具体的には、映像処理装置１０は、外部から入力されるインターレース映像信号に含まれる垂直同期信号を、インターレース映像信号に対し所定の周期で所定数のフィールド分（ここでは１フィールド分）の表示無効区間が設定されるように制御することで、映像をスキップさせる。
【００３０】
たとえば、図１Ｆに示す例では、映像処理装置１０は、映像信号中の「黒３」が入力されるタイミングで垂直同期信号の出力を停止させる。これにより、垂直同期信号の出力タイミングを基準としていた映像信号の取得が行われなくなり、結果として、表示映像では「黒３」として表示させない表示無効区間が表示映像信号に設定される。
【００３１】
これにより、前フィールドの「白３」が継続して表示され、よって「黒３」に対応すべき極性の「−」は「＋」に反転する、逆に言えば、前フィールドの「白３」に対応する極性の「＋」が継続し、反転しないこととなる。そして、つづく「白４」の電位は負極に転じるため、イオン性不純物の「電荷溜まりを解消」することができる。したがって、残像現象を効果的に防ぐことができる。
【００３２】
このように、本実施形態に係る映像処理方法では、外部から入力されるインターレース映像信号に含まれる垂直同期信号を、インターレース映像信号に対し所定の周期で１フィールド分の表示無効区間が設定されるように制御することとした。そして、本実施形態に係る映像処理方法では、かかる垂直同期信号の制御によって表示無効区間が設定されたインターレース映像信号に基づいて表示映像信号を生成し、生成した表示映像信号を液晶表示部２０へ出力することとした。
【００３３】
したがって、本実施形態に係る映像処理方法によれば、インターレース映像であっても、イオン性不純物の電荷溜まりを解消し、残像現象を効果的に防ぐことができる。
【００３４】
以下、上述した映像処理方法を適用した映像表示システム１の映像処理装置１０について、さらに具体的に説明する。なお、以下では、第１の実施形態について図２Ａ〜図５を用いつつ、第２の実施形態について図６を用いつつ、第３の実施形態について図７〜図９を用いつつ、順次説明する。
【００３５】
（第１の実施形態）
図２Ａは、第１の実施形態に係る映像表示システム１のブロック図である。図２Ｂは、第１の実施形態に係る映像信号処理部１２のブロック図である。
【００３６】
なお、図２Ａおよび図２Ｂでは、本実施形態の特徴を説明するために必要な構成要素のみを機能ブロックで表しており、一般的な構成要素についての記載を省略している。
【００３７】
換言すれば、図２Ａおよび図２Ｂに図示される各構成要素は機能概念的なものであり、必ずしも物理的に図示の如く構成されていることを要しない。たとえば、各機能ブロックの分散・統合の具体的形態は図示のものに限られず、その全部または一部を、各種の負荷や使用状況などに応じて、任意の単位で機能的または物理的に分散・統合して構成することが可能である。なお、図２Ａおよび図２Ｂ以外に後ほど示すブロック図（図６および図７）でも、この点は同様である。
【００３８】
まず、図２Ａに示すように、映像表示システム１は、映像処理装置１０と、液晶表示部２０と、映像ソース３０とを備える。液晶表示部２０は既に述べた通り、液晶モジュールに相当し、液晶駆動ドライバＩＣに相当する液晶駆動部２１と、液晶パネル２２とを備える。映像ソース３０は、各種映像源に相当し、たとえば車載カメラやＤＶＤプレーヤなどである。
【００３９】
映像処理装置１０は、制御部１１と、映像信号処理部１２と、記憶部１３とを備える。記憶部１３は、ハードディスクドライブや不揮発性メモリ、レジスタといった記憶デバイスであって、周期情報１３ａを記憶する。
【００４０】
周期情報１３ａは、映像をスキップさせる所定の周期に関する情報であり、少なくとも残像現象が生じないと想定されるたとえば待ち時間などが予め規定され、登録されている。
【００４１】
制御部１１は、映像信号処理部１２による映像信号処理を制御する。制御部１１は、たとえば制御用マイクロコンピュータなどで構成することができる。
【００４２】
具体的に、映像ソース３０から出力される映像信号は、制御部１１および映像信号処理部１２に入力される。制御部１１は、入力された映像信号に含まれる垂直同期信号や水平同期信号等の制御信号を取得する。また、制御部１１は、周期情報１３ａに基づき、所定の周期を随時計測する。計測の方法は、たとえばタイマ制御によるものであってもよいし、たとえば処理したフレーム数やフィールド数に基づくものであってもよい。
【００４３】
また、制御部１１は、取得した制御信号を映像信号処理部１２へ出力する。但し、制御部１１は、入力された映像信号がインターレース映像信号であり、所定の周期が到来した場合、かかる周期到来後に最初に取得した制御信号（たとえば垂直同期信号）に対し、映像信号処理部１２への出力を停止する制御を行う。また、制御部１１は、垂直同期信号の出力を停止する制御を行った後、次に取得した垂直同期信号に対し、映像信号処理部１２への出力を再開する制御を行う、言い換えれば、停止制御を行わないようにする。
【００４４】
映像信号処理部１２は、映像ソース３０からの映像信号および制御部１１による制御に基づき、表示映像信号を生成し、生成した表示映像信号を液晶表示部２０へ出力する。詳しくは、映像信号処理部１２は、制御部１１から出力される垂直同期信号の出力タイミングを基準として映像信号を取得し、取得した映像信号に基づいて表示映像信号を生成して液晶表示部２０へ出力する。
【００４５】
図２Ｂを用いて具体的に説明すると、映像信号処理部１２は、ＡＤ変換部１２ａと、ＩＰ変換部１２ｂと、生成部１２ｃとを備える。ＡＤ変換部１２ａは、制御部１１から垂直同期信号が出力されるとともに、上記した垂直同期期間が経過すると、映像ソース３０から映像信号を取得し、映像信号のアナログ−デジタル変換処理を行う。
【００４６】
ＩＰ変換部１２ｂは、ＡＤ変換部１２ａによってデジタル化された映像信号がインターレース映像信号である場合に、かかるインターレース映像信号をノンインターレース、すなわちプログレッシブ映像信号相当に変換するＩＰ変換処理を行う。
【００４７】
ここで、ＩＰ変換部１２ｂによるＩＰ変換処理について図３を用いて説明しておく。図３は、ＩＰ変換処理の処理説明図である。なお、図３では、インターレース映像信号における奇数フィールドを例に挙げるが、偶数フィールドについても同様である。
【００４８】
上でも述べたが、図３の上段に示すように、奇数フィールドは、奇数行番目の走査線のみからなるが、たとえば１フレームが５２５行分であるとした場合、奇数フィールドの行数は２６３行となる。
【００４９】
一方、たとえば液晶パネル２２の表示領域が、図３の中段に示すように４８０行だったとした場合、かかる４８０行の半分の２４０行分へ収まるように、奇数フィールドの２６３行の一部（たとえば上部および下部など）を間引く必要がある。ＩＰ変換部１２ｂは、かかる処理を行う。
【００５０】
また、図３の中段に示すように、奇数フィールドの２４０行分だけでは無論、偶数フィールド分に相当する領域に空きができてしまう。そこで、図３の下段に示すように、ＩＰ変換部１２ｂは、たとえば奇数フィールドの２４０行分に基づいてかかる空き領域を補完する処理を行う。かかる補完は、たとえば奇数フィールド分の各行を拡大などすることによって行うことができる。
【００５１】
なお、奇数フィールド分および偶数フィールド分をフレームメモリ上に蓄積し、合成することによってＩＰ変換を行うことはできるが、本実施形態ではかかる手法はあえて用いていない。
【００５２】
図２Ｂの説明に戻ると、生成部１２ｃは、ＩＰ変換部１２ｂからの映像信号に基づき、液晶表示部２０への表示映像信号を生成して液晶表示部２０へ出力する処理を行う。
【００５３】
ここで、映像信号がインターレース映像信号である場合の映像スキップ処理について、さらに具体的に図４を用いて説明する。図４は、映像スキップ処理の処理説明図である。
【００５４】
図４に示すように、制御部１１は、まず所定の周期計測をスタートする（ステップＳ１）。制御部１１は、所定の周期が到来するまでの間は、映像ソース３０から取得された垂直同期信号を映像信号処理部１２へそのまま出力する。なお、上述したように、映像信号処理部１２は、垂直同期信号が出力されると、映像ソース３０から映像信号を取得して表示映像信号を生成し、液晶表示部２０へ出力する。
【００５５】
ここで、時間Ｔ１において所定の周期が到来したものとする（ステップＳ２）。制御部１１は、かかる周期が到来してから最初に取得した垂直同期信号に対し、映像信号処理部１２への出力を停止する（ステップＳ３）。これにより、映像信号処理部１２には、垂直同期信号が出力されないため、映像信号の取得が行われず、結果として図４に破線で示すように、停止された垂直同期信号に対応する表示映像信号（図１Ｆの例で映像信号「黒３」に対応する表示映像信号）が生成されない。
【００５６】
このように、制御部１１は、所定の周期が到来した場合に垂直同期信号の出力を１回停止する制御を行うことで、インターレース映像信号に対し１フィールド分の表示無効区間Ａが設定されることとなる。したがって、映像信号処理部１２では、垂直同期信号の停止制御によって表示無効区間Ａが設定されたインターレース映像信号に基づいて表示映像信号が生成される、すなわち、図１Ｆの例で映像信号「黒３」に対応する表示映像信号を含まない表示映像信号が生成され、かかる表示映像信号が液晶表示部２０へ出力される。
【００５７】
続いて、制御部１１は、垂直同期信号の停止制御を行った後に取得した垂直同期信号に対し、映像信号処理部１２への出力を再開する制御を行う（ステップＳ４）。これにより、インターレース映像信号に対し行っていた表示無効区間Ａの設定が解除される。
【００５８】
また、制御部１１は、ステップＳ４の実施後に、所定の周期計測をリスタートする（ステップＳ５）。ここでいうリスタートは、初期値からのリスタートである。これにより、所定の周期１回分における映像スキップ処理が完了する。かかる映像スキップ処理は、周期が到来するたびに繰り返されることとなる。
【００５９】
なお、映像信号がノンインターレース映像信号である場合、上記した垂直同期信号の停止制御を行わずに、垂直同期信号を映像信号処理部１２へそのまま出力する通常の垂直同期信号の制御が行われる。言い換えると、制御部１１は、ノンインターレース映像信号が入力された場合、ノンインターレース映像信号に対し表示無効区間Ａが設定されないように垂直同期信号を制御する。すなわち、もともと残像現象の生じにくいノンインターレース映像信号の場合には、無用な映像スキップ処理を避けることによって、システム負荷を低減しつつ、品質を保った映像表示を行うことができる。
【００６０】
次に、第１の実施形態に係る映像処理装置１０の制御部１１が実行する処理手順について、図５を用いて説明する。図５は、第１の実施形態に係る映像処理装置１０の制御部１１が実行する処理手順を示すフローチャートである。
【００６１】
図５に示すように、制御部１１はまず、入力された映像信号がインターレース映像信号であるか否かを判定する（ステップＳ１０１）。なお、たとえば映像信号に、インターレース映像信号およびノンインターレース映像のいずれであるかを示す識別信号が含まれている場合、ステップＳ１０１の処理は、かかる識別信号に基づいて行われるようにしてもよい。
【００６２】
制御部１１は、映像信号がインターレース映像信号ではないと判定された場合（ステップＳ１０１，Ｎｏ）、すなわち、ノンインターレース映像である場合、通常の垂直同期信号の制御を行う（ステップＳ１０２）。
【００６３】
一方、制御部１１は、映像信号がインターレース映像信号であると判定された場合（ステップＳ１０１，Ｙｅｓ）、続いて所定の周期が到来したか否かを判定する（ステップＳ１０３）。
【００６４】
制御部１１は、所定の周期が到来していないと判定された場合（ステップＳ１０３，Ｎｏ）、ステップＳ１０３の処理を繰り返す。なお、ステップＳ１０３の処理を繰り返す間、制御部１１は、取得された垂直同期信号を映像信号処理部１２へそのまま出力する。
【００６５】
制御部１１は、所定の周期が到来したと判定された場合（ステップＳ１０３，Ｙｅｓ）、次に取得された垂直同期信号に対し、映像信号処理部１２への出力を停止する（ステップＳ１０４）。これにより、インターレース映像信号における１フィールド分の映像がスキップされることとなる。
【００６６】
そして、制御部１１は、停止させた垂直同期信号の次に取得された垂直同期信号に対し、映像信号処理部１２への出力を再開する（ステップＳ１０５）。
【００６７】
上述してきたように、第１の実施形態に係る映像処理装置１０は、フレーム反転方式により液晶駆動される液晶表示部２０への表示映像信号を生成する映像処理装置１０であって、制御部１１と、映像信号処理部１２とを備える。
【００６８】
制御部１１は、外部から入力されるインターレース映像信号に含まれる垂直同期信号を、インターレース映像信号に対し所定の周期で所定数のフィールド分（たとえば１フィールド分）の表示無効区間が設定されるように制御する。映像信号処理部１２は、垂直同期信号の制御によって表示無効区間Ａが設定されたインターレース映像信号に基づいて表示映像信号を生成し、表示映像信号を液晶表示部２０へ出力する。
【００６９】
したがって、第１の実施形態に係る映像処理装置１０によれば、残像現象を効果的に防ぐことができる。
【００７０】
また、第１の実施形態にあっては、インターレース映像信号に対して設定される所定数のフィールド分が１フィールド分であるようにした。これにより、映像のスキップ処理が早期に完了することから、残像現象を迅速に防ぐことができる。
【００７１】
なお、液晶表示部２０には、表示制御される制御信号として、「垂直同期信号」を用いるものと、液晶駆動ドライバＩＣに対する表示有効指示信号である「データイネーブル信号」を用いるものとがあるが、本実施形態に係る映像処理装置１０は垂直同期信号を制御信号として用いるものに適用することができる。
【００７２】
（第２の実施形態）
次に、第２の実施形態について説明する。なお、以下では、主に第１の実施形態と異なる部分について説明し、内容の重複する部分については説明を省略する。
【００７３】
図６は、第２の実施形態に係る映像表示システム１００のブロック図である。図６は、図２Ａに対応しており、第２の実施形態に係る映像表示システム１００は、映像処理装置１０Ａが、制御部１１Ａと通信可能に接続された温度検知部１４をさらに備える点で、第１の実施形態とは異なる。
【００７４】
また、制御部１１Ａが、周期情報１３ａを書き換え可能な点で、第１の実施形態とは異なる。
【００７５】
温度検知部１４は、液晶表示部２０の温度を検知する検知デバイスである。制御部１１Ａは、かかる温度検知部１４の検知結果に基づいて周期情報１３ａに含まれる所定の周期を調整する。
【００７６】
たとえば、制御部１１Ａは、温度検知部１４の検知した液晶表示部２０の温度が高温であるほど所定の周期が短くなるようにかかる周期を調整する。これは、高温時ほど残像現象が発生しやすくなるためである。このように残像現象の発生頻度が高くなるほど周期の間隔を短くし、映像スキップの回数を増やすことによって、温度変化に応じつつ適切に残像現象を防ぐことができる。すなわち、残像現象をより効果的に防ぐことができる。
【００７７】
このように、第２の実施形態に係る映像処理装置１０Ａは、液晶表示部２０の温度を検知する温度検知部１４をさらに備える。制御部１１Ａは、温度検知部１４の検知結果に基づいて周期情報１３ａに含まれる所定の周期を調整する。また、制御部１１Ａは、温度が高温であるほど所定の周期が短くなるようにかかる周期を調整する。
【００７８】
したがって、第２の実施形態に係る映像処理装置１０Ａによれば、残像現象をより効果的に防ぐことができる。
【００７９】
（第３の実施形態）
次に、第３の実施形態について説明する。第３の実施形態にあっては、上記した垂直同期信号の停止制御を行うか否かを、外部から入力される映像信号の種類に応じて設定された「表示モード」に基づいて判定するようにした。
【００８０】
図７は、第３の実施形態に係る映像表示システム２００のブロック図である。図７に示すように、第３の実施形態に係る映像表示システム２００は、操作部１５を備える。また、映像処理装置１０Ｂは、表示モード検出部１６をさらに備えるとともに、記憶部１３は、表示モード情報１３ｂをさらに記憶する。
【００８１】
操作部１５は、車両Ｃ（図１Ａ参照）の運転者や搭乗者などのユーザによって操作された場合、かかる操作内容を示す信号を映像処理装置１０Ｂの表示モード検出部１６へ出力する。たとえば、操作部１５は、液晶表示部２０に表示させる映像の種類（ＤＶＤ映像、ナビゲーション映像、ＤＴＶ映像、車載カメラ映像など）を選択する選択ボタン等を含み、かかるボタンがユーザによって操作された場合、選択された映像の種類を示す信号を表示モード検出部１６へ出力する。
【００８２】
なお、操作部１５としては、液晶表示部２０付近に配置される操作ボタンを用いることができるが、これに限定されるものではなく、たとえば液晶表示部２０の液晶パネル２２に設けられるタッチパネルなどを用いてもよい。
【００８３】
また、図示は省略するが、上記した液晶表示部２０に表示させる映像の種類を示す信号は、操作部１５から映像ソース制御装置に入力され、かかる映像ソース制御部が、入力された信号に対応する映像ソース３０を起動させるようにしてもよい。たとえば、映像ソース制御装置は、入力された信号がＤＶＤ映像を示す信号である場合、映像ソース３０のうちのＤＶＤプレーヤを起動させるようにしてもよい。
【００８４】
また、操作部１５は、運転者によって操作されるシフトレバーおよびシフトレバーのポジションを検出するシフトポジションセンサ等を含んでいてもよい。たとえば、操作部１５は、シフトレバーがＲ（Reverse）レンジへ切り替えられた場合、液晶表示部２０に車載カメラ映像（たとえば車両Ｃの後方撮像用のリアカメラ映像）が表示されることを示す信号を表示モード検出部１６へ出力してもよい。
【００８５】
表示モード検出部１６は、操作部１５からの信号、詳しくは液晶表示部２０に表示させる映像の種類を示す信号に基づいて、表示モードを検出する。たとえば、表示モード検出部１６は、映像の種類を示す信号がＤＶＤ映像を示す信号であった場合、表示モードがＤＶＤモードであることを検出する。同様に、表示モード検出部１６は、映像の種類を示す信号がナビゲーション映像を示す信号であった場合はナビゲーションモード、ＤＴＶ映像を示す信号であった場合はＤＴＶモード、車載カメラ映像を示す信号であった場合は車載カメラモードであることを検出する。
【００８６】
このように、表示モード検出部１６は、液晶表示部２０に表示させる映像の種類に応じて設定された表示モードを検出する、言い換えると、映像ソース３０から入力される映像信号の種類に応じて設定された表示モードを検出する。そして、表示モード検出部１６は、検出された表示モードを示す信号を制御部１１Ｂへ出力する。
【００８７】
ここで、表示モード情報１３ｂについて図８を参照して説明する。図８は、表示モード情報１３ｂの一例を示す図である。図８に示すように、表示モード情報１３ｂは、「表示モード」および「垂直同期信号の停止制御の設定」などの情報を含み、これらの情報は互いに関連付けられている。
【００８８】
「表示モード」は、表示モードの種類を示す情報である。「表示モード」としては、たとえば上記したＤＶＤモード、ナビゲーションモード、ＤＴＶモードおよび車載カメラモードなどが登録されている。
【００８９】
なお、上記した表示モードの種類は、例示であって限定されるものではない。すなわち、たとえばスマートフォンなどのユーザ端末が映像表示システム２００に映像ソース３０として接続される場合、「表示モード」には、ユーザ端末に対応するユーザ端末モードが登録されるなど、その他の種類の表示モードが登録されてもよい。
【００９０】
「垂直同期信号の停止制御の設定」は、垂直同期信号の停止制御を実行するか否かを示す情報である。たとえば、停止制御を実行する場合は「ＯＮ」、実行しない場合は「ＯＦＦ」に設定される。
【００９１】
ここで、たとえば、ＤＶＤ映像信号や車載カメラ映像信号は、インターレース映像であることが多い。そこで、「表示モード」のＤＶＤモードや車載カメラモードに対応する「垂直同期信号の停止制御の設定」は、「ＯＮ」に設定される。
【００９２】
一方、たとえば、ナビゲーション映像信号やＤＴＶ映像信号は、ノンインターレース映像であることが多い。そこで、「表示モード」のナビゲーションモードやＤＴＶモードに対応する「垂直同期信号の停止制御の設定」は、「ＯＦＦ」に設定される。
【００９３】
なお、上記した垂直同期信号の停止制御のＯＮ／ＯＦＦ設定は、あくまでも例示であって限定されるものではない。すなわち、たとえばＤＴＶ映像信号において、インターレース映像が含まれる場合は、対応する「垂直同期信号の停止制御の設定」が「ＯＮ」に設定されるようにしてもよい。
【００９４】
図７の説明に戻ると、制御部１１Ｂは、表示モード検出部１６からの信号と表示モード情報１３ｂとに基づき、垂直同期信号の停止制御を実行するか否かを判定する判定処理を実行する。言い換えると、制御部１１Ｂは、表示モード検出部１６によって検出された表示モードと表示モード情報１３ｂとに基づき、表示無効区間Ａが設定されるように垂直同期信号を制御するか否かを判定する。
【００９５】
すなわち、たとえば、制御部１１Ｂは、検出された「表示モード」がＤＶＤモードや車載カメラモードである場合、表示モード情報１３ｂの「垂直同期信号の停止制御の設定」が「ＯＮ」に設定されることから、垂直同期信号の停止制御を実行する。一方、制御部１１Ｂは、検出された「表示モード」がナビゲーションモードやＤＴＶモードである場合、表示モード情報１３ｂの「垂直同期信号の停止制御の設定」が「ＯＦＦ」に設定されることから、垂直同期信号の停止制御を実行しないようにする。
【００９６】
次に、第３の実施形態に係る映像処理装置１０Ｂの制御部１１Ｂが実行する処理手順について、図９を用いて説明する。図９は、第３の実施形態に係る映像処理装置１０Ｂの制御部１１Ｂが実行する処理手順を示すフローチャートである。
【００９７】
図９に示すように、制御部１１Ｂはまず、表示モード検出部１６によって検出された表示モードが所定の表示モードであるか否かを判定する（ステップＳ１０１ａ）。ここで、所定の表示モードは、表示モード情報１３ｂにおいて「垂直同期信号の停止制御の設定」が「ＯＮ」に設定される表示モード、すなわち、垂直同期信号の停止制御を行うべき表示モードである。
【００９８】
制御部１１Ｂは、表示モードが所定の表示モードであると判定された場合（ステップＳ１０１ａ，Ｙｅｓ）、ステップＳ１０３〜Ｓ１０５の処理に進み、上述した垂直同期信号の停止制御などを行う。
【００９９】
他方、制御部１１Ｂは、表示モードが所定の表示モードではないと判定された場合（ステップＳ１０１ａ，Ｎｏ）、ステップＳ１０２の処理に進み、上述した垂直同期信号の停止制御などを行わず、通常の垂直同期信号の制御を行う（ステップＳ１０２）。
【０１００】
このように、第３の実施形態に係る映像処理装置１０Ｂは、表示モード検出部１６をさらに備える。表示モード検出部１６は、外部から入力される映像信号の種類に応じて設定された表示モードを検出する。そして、制御部１１Ｂは、検出された表示モードに基づき、表示無効区間Ａが設定されるように垂直同期信号を制御するか否かを判定する。
【０１０１】
これにより、第３の実施形態にあっては、表示モードを検出するという簡易な処理に基づいて、表示無効区間Ａが設定されるように垂直同期信号を制御するか否かの判定を行うことができ、よって残像現象をより一層効果的に防ぐことができる。
【０１０２】
また、表示モードの検出に用いられる映像信号は、たとえば車両Ｃに搭載されたＤＶＤプレーヤなどの車載装置から入力される映像信号である。したがって、第３の実施形態にあっては、映像処理装置１０Ｂを車載用として適切に用いることが可能となる。
【０１０３】
次に、第３の実施形態の変形例について説明する。かかる変形例では、図８に破線で示すように、表示モード情報１３ｂに、周期情報１３ａである垂直同期信号の停止制御の周期が含まれるようにしてもよい。
【０１０４】
ここで「停止制御の周期」は、停止制御が行われる表示モードに対してそれぞれ設定される。具体的に「停止制御の周期」は、対応する表示モードにおいて、たとえば、少なくとも残像現象が生じないと想定される時間に設定される。
【０１０５】
図８に示す例では、「表示モード」がＤＶＤモードで「垂直同期信号の停止制御の設定」が「ＯＮ」の場合、「停止制御の周期」はｎ秒に設定される。また、「表示モード」が車載カメラモードで「垂直同期信号の停止制御の設定」が「ＯＮ」の場合、「停止制御の周期」はｍ秒に設定される。なお、上記したｎ秒およびｍ秒は、互いに異なる値であっても同じ値であってもよい。
【０１０６】
そして、変形例に係る制御部１１Ｂは、まず、表示モード検出部１６で検出された表示モードに基づき、垂直同期信号の停止制御を実行するか否かを判定する判定処理を実行し、かかる判定処理の判定結果に応じて停止制御の周期を変更するようにしてもよい。
【０１０７】
具体的には、制御部１１Ｂは、たとえば表示モードがＤＶＤモードで、停止制御を実行するという判定結果の場合、周期をｎ秒に変更し、変更された周期で停止制御を行う、言い換えれば、表示無効区間Ａが設定されるように垂直同期信号を制御するようにしてもよい。
【０１０８】
これにより、第３の実施形態の変形例にあっては、表示モードに応じて周期を適切な値に変更することが可能となり、結果として残像現象をより一層効果的に防ぐことができる。
【０１０９】
なお、上述してきた各実施形態では、少なくともフレーム１画面分に相当するフレームメモリをあえて有さないこととした。これにより、低コストにシステムを構成することが可能となる。したがって、たとえば車載機器用であれば、上述したディスプレイオーディオ用やリアシートエンターテインメントシステム用のように、低価格帯での普及を目的とした製品への適用に好適である。
【０１１０】
また、上述した各実施形態では、インターレース映像信号に対し所定の周期で１フィールド分の表示無効区間Ａが設定されるように垂直同期信号を制御することとしたが、少なくとも１フィールド分であって、フィールド数を限定するものではない。したがって、所定の周期で２フィールド分以上の表示無効区間Ａが設定されるようにしてもよい。
【０１１１】
また、上記では、映像処理装置１０および液晶表示部２０が車両Ｃに搭載される場合を例に挙げて説明したが、これに限定されるものではない。たとえば、映像処理装置１０および液晶表示部２０は、室内などに設置された液晶テレビに含まれていてもよい。
【０１１２】
なお、映像処理装置１０等が、室内などに設置された液晶テレビに含まれる場合、上記した表示モード情報１３ｂには、テレビ番組表を含む情報を表示する番組表表示モードや、データ放送の情報を表示するデータ放送表示モードなどが含まれていてもよい。そして、たとえば、テレビ番組表やデータ放送を示す情報を表示させる映像信号は、ノンインターレース映像であることが多いため、対応する「垂直同期信号の停止制御の設定」は、「ＯＦＦ」に設定されるようにしてもよい。
【０１１３】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１１４】
１，１００，２００  映像表示システム
１０，１０Ａ，１０Ｂ  映像処理装置
１１，１１Ａ，１１Ｂ  制御部
１２  映像信号処理部
１４  温度検知部
１６  表示モード検出部
２０  液晶表示部
３０  映像ソース
Ｃ  車両
【図１Ａ】
2018101022.tif 000003
【図１Ｂ】
2018101022.tif 000004
【図１Ｃ】
2018101022.tif 000005
【図１Ｄ】
2018101022.tif 000006
【図１Ｅ】
2018101022.tif 000007
【図１Ｆ】
2018101022.tif 000008
【図２Ａ】
2018101022.tif 000009
【図２Ｂ】
2018101022.tif 000010
【図３】
2018101022.tif 000011
【図４】
2018101022.tif 000012
【図５】
2018101022.tif 000013
【図６】
2018101022.tif 000014
【図７】
2018101022.tif 000015
【図８】
2018101022.tif 000016
【図９】
2018101022.tif 000017